(57)【要約】【課題】  複数の入室者の非接触ＩＣカードからデータの読み取りを行う際に、短時間で効率的に読み取りを行えると共に、非接触ＩＣカード紛失を防止できるようにした非接触ＩＣカード用リーダライタ装置及び非接触ＩＣカードのデータ読取方法を提供する。【解決手段】  壁に設置されたリーダライタ本体部と、リーダライタ本体部から取り外し可能に設けられた可動部とを有する非接触ＩＣカード用リーダライタ装置で、可動部に、非接触ＩＣカードとの間で非接触によりデータの送受信を行うアンテナが設けられ、リーダライタ本体部に、外部装置と電気的に接続する手段と、前記アンテナで送信又は受信するデータの制御を行う制御手段とが設けられ、可動部とリーダライタ本体部が通信線を介して通信可能に接続され、可動部で非接触ＩＣカードに記憶されたデータの読み取りを行う際に、可動部をリーダライタ本体部から取り外した状態で読み取り可能に構成されている。【選択図】        図1
2008077531.tif 000002
【特許請求の範囲】
【請求項１】
壁に設置されたリーダライタ本体部と、前記リーダライタ本体部から取り外し可能に設けられた可動部とを有する非接触ＩＣカード用リーダライタ装置であって、
前記可動部に、非接触ＩＣカードとの間で非接触によりデータの送受信を行うアンテナが設けられ、
前記リーダライタ本体部に、外部装置と電気的に接続する手段と、前記アンテナで送信又は受信するデータの制御を行う制御手段とが設けられ、
前記可動部と前記リーダライタ本体部が、通信線を介して通信可能に接続され、前記可動部で非接触ＩＣカードに記憶されたデータの読み取りを行う際に、前記可動部を前記リーダライタ本体部から取り外した状態で、読み取り可能に構成されていることを特徴とする非接触ＩＣカード用リーダライタ装置。
【請求項２】
前記可動部に、生体情報を読み取るための生体情報読取手段と、前記生体情報読取手段で読み取られた生体情報を非接触ＩＣカードに送信する手段と、前記非接触ＩＣカード内で前記生体情報に基づいた認証処理の結果情報を受信する手段と、前記認証処理の結果情報を前記リーダライタ本体部に送信する手段とが設けられていることを特徴とする請求項１記載の非接触ＩＣカード用リーダライタ装置。
【請求項３】
非接触ＩＣカード用リーダライタ装置を用いて、非接触ＩＣカードに記憶されたデータの読み取りを行う方法であって、
壁に設置されたリーダライタ本体部と、前記リーダライタ本体部から取り外し可能に設けられた可動部とを有する非接触ＩＣカード用リーダライタ装置から、前記可動部を取り外した状態で、非接触ＩＣカードに近づけて非接触ＩＣカードに記憶されているデータの読み取りを行うことを特徴とする非接触ＩＣカードのデータ読取方法。
【発明の詳細な説明】
【技術分野】
【０００１】
本発明は、非接触ＩＣカードに記憶されたデータの読み取りを行う際に使用される非接触ＩＣカード用リーダライタ装置及び非接触ＩＣカードのデータ読取方法に関する。
【背景技術】
【０００２】
従来、不審人物などの入室を防止するなどのセキュリティ対策として、非接触ＩＣカードを利用した入室管理システムが採用されている。
これらの入室管理システムは、部屋の入口付近の壁に非接触ＩＣカード用リーダライタ装置を設置して、入室者が入口ドアから入室する際に、入室者が所持する非接触ＩＣカードに記憶されている認証用データを非接触ＩＣカード用リーダライタ装置で読み取り、読み取った認証用データに基づく認証が受けられた場合に、入口ドアの施錠を開いて入室可能とするシステムであり、既に種々の構成のシステムが公知となっている。（例えば、特許文献１、２、３参照）
【０００３】
【特許文献１】特開２００４−７０４５３号公報
【特許文献２】特開２００５−２３７３４号公報
【特許文献３】特開２００６−１６３８１９号公報
【０００４】
近年、非接触ＩＣカードを利用したカードシステムは、データの読み取りが非接触で行うことができ、また短時間で効率的に処理できることから、社員カードとして非接触ＩＣカードを採用し、入室管理や代金支払管理など複数の管理システムに併用して用いるようしている企業も多い。
【０００５】
非接触ＩＣカード用リーダライタ装置で非接触ＩＣカードから非接触でデータの読み取りを行うシステムは、接触式のカードシステムに比べてデータ読み取りが効率的に行えるものの、非接触ＩＣカードを非接触ＩＣカード用リーダライタ装置に近づかせる必要がある。
例えば、入室管理システムに用いられる非接触ＩＣカード用リーダライタ装置は、部屋の入口付近の壁に設置してあるために、入室者は、ポケットなどから非接触ＩＣカードを取り出して非接触ＩＣカード用リーダライタ装置に近づける必要がある。
このため、非接触ＩＣカード用リーダライタ装置で非接触ＩＣカードからデータの読み取りを行った後に、うっかり落として紛失してしまったり、また、非接触ＩＣカード用リーダライタ装置が一ヶ所に設置してあるために、１度に大勢の入室者が来た場合に、読み取り処理に時間がかかるなどの不便がある。
【発明の開示】
【発明が解決しようとする課題】
【０００６】
そこで、本発明は、特に入室管理システムに用いられる非接触ＩＣカード用リーダライタ装置で、複数の入室者の非接触ＩＣカードからデータの読み取りを行う際に、短時間で効率的に読み取りを行えるようにすると共に、非接触ＩＣカードの紛失を防止できるようにした非接触ＩＣカード用リーダライタ装置及び非接触ＩＣカードのデータ読取方法を提供する。
【課題を解決するための手段】
【０００７】
上記の課題を達成するために、本発明の非接触ＩＣカード用リーダライタ装置は、壁に設置されたリーダライタ本体部と、前記リーダライタ本体部から取り外し可能に設けられた可動部とを有する非接触ＩＣカード用リーダライタ装置であって、前記可動部に、非接触ＩＣカードとの間で非接触によりデータの送受信を行うアンテナが設けられ、前記リーダライタ本体部に、外部装置と電気的に接続する手段と、前記アンテナで送信又は受信するデータの制御を行う制御手段とが設けられ、前記可動部と前記リーダライタ本体部が、通信線を介して通信可能に接続され、前記可動部で非接触ＩＣカードに記憶されたデータの読み取りを行う際に、前記可動部を前記リーダライタ本体部から取り外した状態で、読み取り可能に構成されていることを特徴とする。
【０００８】
また、本発明の非接触ＩＣカード用リーダライタ装置は、前記可動部に、生体情報を読み取るための生体情報読取手段と、前記生体情報読取手段で読み取られた生体情報を非接触ＩＣカードに送信する手段と、前記非接触ＩＣカード内で前記生体情報に基づいた認証処理の結果情報を受信する手段と、前記認証処理の結果情報を前記リーダライタ本体部に送信する手段とが設けられていることを特徴とする。
【０００９】
また、本発明の非接触ＩＣカードのデータ読取方法は、非接触ＩＣカード用リーダライタ装置を用いて、非接触ＩＣカードに記憶されたデータの読み取りを行う方法であって、
壁に設置されたリーダライタ本体部と、前記リーダライタ本体部から取り外し可能に設けられた可動部とを有する非接触ＩＣカード用リーダライタ装置から、前記可動部を取り外した状態で、非接触ＩＣカードに近づけて非接触ＩＣカードに記憶されているデータの読み取りを行うことを特徴とする。
【発明の効果】
【００１０】
本発明の非接触ＩＣカード用リーダライタ装置は、リーダライタ本体部から取り外し可能に設けられた可動部にアンテナが設けられているので、複数の入室者が１度に来た場合でも、リーダライタ本体部から可動部だけを取り外して、短時間で効率的に読み取りを行うことができ、更に、入室者が非接触ＩＣカードをポケットやかばんに入れたままの状態で、データの読み取りができるので、非接触ＩＣカードを取り出すことなくスムーズに読み取らせることができると共に、紛失を防止できるという効果がある。
【００１１】
また、本発明の非接触ＩＣカード用リーダライタ装置は、可動部に生体情報読取手段を有しているので、生体情報に基づく認証処理を行うシステムにも適応できるという効果がある。
【００１２】
また、本発明の非接触ＩＣカードのデータ読取方法は、非接触ＩＣカードに記憶されているデータの読み取りを行う際に、可動部だけを取り外して読み取りを行うことができるので、複数の入室者の非接触ＩＣカードからデータの読み取りを行う際に、短時間で効率的に読み取りを行えるようにすると共に、非接触ＩＣカードの紛失を防止できるという効果がある。
【発明を実施するための最良の形態】
【００１３】
以下、本発明の実施形態に係る非接触ＩＣカード用リーダライタ装置及び非接触ＩＣカードのデータ読取方法について、図面に基づいて詳細に説明する。
図１は、本発明の実施形態に係る非接触ＩＣカード用リーダライタ装置の概要を説明する図、図２は、本発明の実施形態に係る非接触ＩＣカード用リーダライタ装置の使用状態を示す図、図３は、本発明の実施形態に係る非接触ＩＣカード用リーダライタ装置のシステム構成を示す図、図４は、本発明の実施形態に係る非接触ＩＣカード用リーダライタ装置の処理手順を示すフローチャート図である。
【００１４】
本発明の実施形態に係る非接触ＩＣカード用リーダライタ装置１は、図１に示すように、入室用ドア２の入口付近の壁に設置されている。
そして、その入室用ドア２から入室することができる正当な権限を有する入室者３は、認証用データが記憶されている社員証カードなどからなる非接触ＩＣカード４を所持し、非接触ＩＣカード用リーダライタ装置１で認証用データの読み取らせることにより、認証を受けて入室可能に構成されている。
【００１５】
図２に示すように、非接触ＩＣカード用リーダライタ装置１は、壁に設置されたリーダライタ本体部１ａと、リーダライタ本体部１ａから取り外し可能に設けられた可動部１ｂとから構成され、また、これらのリーダライタ本体部１ａと可動部１ｂとがコード５により電気的に接続されている。
そして、入室者３は、リーダライタ本体部１ａの所定位置に取り外し可能に設けられている可動部１ｂを、自由に手に持って取り外し、コード５の長さ分だけ移動させることができるように構成されている。
また、コード５の長さは、入室者３が身に着けている上着の胸ポケットに非接触ＩＣカード４を入れたままの状態で、非接触ＩＣカード４に可動部１ｂを近づけることができる長さを有しており、非接触ＩＣカード４をポケットなどから取り出さないで非接触ＩＣカード４に記憶されているデータの読み取りができるように構成されている。
【００１６】
また、非接触ＩＣカード用リーダライタ装置１には、入室者３の生体情報として入室者３の指６の指紋パターンを読み取ることができる生体情報読取手段１５が備えられており、非接触ＩＣカード用リーダライタ装置１の所定位置に指６を押し当てることで、指紋パターン情報の読み取りを行い、非接触ＩＣカード４に送信して非接触ＩＣカード４内でその指紋パターン情報による認証処理が行えるようにしてある。
【００１７】
次に、非接触ＩＣカード用リーダライタ装置１のシステム構成について、図３に基づいて説明する。
非接触ＩＣカード用リーダライタ装置１のリーダライタ本体部１ａには、記憶手段７、電源部８、制御手段９、インターフェース（Ｉ/Ｆ）１０が備えられており、Ｉ/Ｆ１０を介して施錠管理装置１１と接続されている。
この施錠管理装置１１は、入口ドアの施錠状態を管理して、リーダライタ本体部１ａから開錠を指示する信号を受信した際に、施錠を開錠させて入室できるように制御する。
【００１８】
また、可動部１ｂには、アンテナ１２、送信手段１３、受信手段１４、生体情報読取手段１５、制御手段１６などが備えられている。
生体情報読取手段１５は、入室者３の指６の指紋パターンを読み取る。
生体情報読取手段１５で読み取られた入室者３の指６の指紋パターン情報は、アンテナ１２で非接触ＩＣカード４に送信され、また、非接触ＩＣカード４内で指紋パターン情報による認証処理が行われ、その認証処理で認証が受けられた際に、その認証情報が可動部１ｂからリーダライタ本体部１ａへ送信される。
【００１９】
また、可動部１ｂの送信手段１３は、リーダライタ本体部１ａから受信したデータを、アンテナ１２により非接触ＩＣカード４に送信させる機能を有し、また、受信手段１４は、非接触ＩＣカード４から送信されたデータをアンテナ１２で受信して、その受信データをリーダライタ本体部１ａへと送信させる。
【００２０】
非接触ＩＣカード４には、記憶手段１７、制御手段１８、アンテナ１９が備えられている。
そして、非接触ＩＣカード４の記憶手段１７には、予め認証用データが記憶され、更に、可動部１ｂから受信した生体情報である指紋パターン情報に基づく認証処理を行うプログラムが搭載されている。
生体情報である指紋パターン情報に基づく認証処理を行う場合には、認証用データとして、予め照合用の生体情報である指紋パターン情報が登録されており、生体情報である指紋パターン情報に基づいた認証処理が行われる。
【００２１】
また、認証用データとして生体情報を用いない場合には、予め定めたデータを認証用データとして利用するようにしてもよい。
但し、この場合には、リーダライタ本体部１ａの記憶手段７に予め認証用データを登録させておいて、可動部１ｂで非接触ＩＣカード４から認証用データの読み取りを行い、その認証用データをリーダライタ本体部１ａに送信して、リーダライタ本体部１ａ内において認証処理を行うようにしてもよい。
但し、本人認証のセキュリティレベルを高める場合には、生体情報を用いた認証処理を行う方が好ましい。
【００２２】
次に、本発明の実施形態に係る非接触ＩＣカード用リーダライタ装置１の処理手順と共に、本発明の非接触ＩＣカードのデータ読取方法について、図４に示すフローチャート図に基づいて説明する。
まず、入室用ドア２の施錠を開錠させて入室しようとする入室者３は、非接触ＩＣカード用リーダライタ装置１の可動部１ｂを手で取り外した後に、可動部１ｂの生体情報読取手段１５により入室者３の指６の指紋パターン情報を読み取る。（ステップＳ１）
次に、ポケットなど入れている非接触ＩＣカード４に可動部１ｂを近づけることで、可動部１ｂから非接触ＩＣカード４に指紋パターン情報を送信する。（ステップＳ２）
【００２３】
非接触ＩＣカード４は、可動部１ｂから受信した指紋パターン情報と、非接触ＩＣカード４の記憶手段１９に予め登録されている指紋パターン情報とを照合して認証処理を行う。（ステップＳ３）
そして、指紋パターン情報による照合で照合一致され、認証が受けられた場合には、認証が受けられたことを示す認証情報が、非接触ＩＣカード４から可動部１ｂに送信される。（ステップＳ４）
【００２４】
認証情報を受信した可動部１ｂは、受信した認証情報をリーダライタ本体部１ａへ送信する。（ステップＳ５）
リーダライタ本体部１ａは、施錠管理装置１１に対して、入室用ドア２の施錠を開錠させることを指示する信号を送信する。（ステップＳ６）
そして、施錠管理装置１１は、入室用ドア２の施錠を開錠させることを指示する信号を受信したことを受けて、入室用ドア２の施錠を開錠させる。（ステップＳ７）
【００２５】
また、入室者３が複数人数いる場合には、リーダライタ本体部１ａから可動部１ｂを取り外して、可動部１ｂを順次持ち回りして、各自で上記の処理を行うことで、各入室者３はポケットなどから非接触ＩＣカード４を取ることなく、非接触ＩＣカード４による必要な認証処理を行うことができる。
【００２６】
以上のように、本発明の非接触ＩＣカードのデータ読取方法は、非接触ＩＣカードに記憶されているデータの読み取りを行う際に、可動部だけを取り外して読み取りを行うことができるので、複数の入室者の非接触ＩＣカードからデータの読み取りを行う際に、短時間で効率的に読み取りを行えるようにすると共に、非接触ＩＣカードの紛失を防止できる。
【００２７】
更に、非接触ＩＣカード用リーダライタ装置１は、非接触ＩＣカードに機構されているデータの読み取りだけでなく、非接触ＩＣカードに対するデータの送信による書込みも行なえるように構成しても良く、非接触ＩＣカードに対してデータの書込みを行う際に、可動部だけを取り外して、非接触ＩＣカードに近づけることで、書込み処理を行うことができる。
したがって、複数の入室者の非接触ＩＣカードにデータの書込み処理を行う際には、前述の読み取りのみに比べると処理に時間がかかるが、可動部を取り外すことで、短時間で効率的にデータの書込みが行えると共に、非接触ＩＣカードをポケットなどに入れたままの状態で、可動部でデータ書込みができるので非接触ＩＣカードの紛失を防止できる。
なお、、可動部は、リーダライタ本体部に設けた状態で、読み取れるようにしても良く、その場合は、カードを従来のようにリーダライタにかざす使い方もできる。
更に、可動部を取り外した時には、可動部のアンテナの感度を大きくしても良い。
【図面の簡単な説明】
【００２８】
【図１】本発明の実施形態に係る非接触ＩＣカード用リーダライタ装置の概要を説明する図である。
【図２】本発明の実施形態に係る非接触ＩＣカード用リーダライタ装置の使用状態を示す図である。
【図３】本発明の実施形態に係る非接触ＩＣカード用リーダライタ装置のシステム構成を示す図である。
【図４】本発明の実施形態に係る非接触ＩＣカード用リーダライタ装置の処理手順を示すフローチャート図である。
【符号の説明】
【００２９】
１  非接触ＩＣカード用リーダライタ装置
１ａ  リーダライタ本体部
１ｂ  可動部
２  入室用ドア
３  入室者
４  非接触ＩＣカード
５  コード
６  指
７，１７  記憶手段
８  電源部
９，１６，１８  制御手段
１０  インターフェース（Ｉ/Ｆ）
１１  施錠管理装置
１２，１９  アンテナ
１３  送信手段
１４  受信手段
１５  生体情報読取手段
【図１】
2008077531.tif 000003
【図２】
2008077531.tif 000004
【図３】
2008077531.tif 000005
【図４】
2008077531.tif 000006